(57)【要約】      （修正有）【課題】撮像装置自体を大型化する事なく、またアクセサリーとしての外部装置を装着した時も撮像装置自体を大型化することなく、撮像装置の発熱源を冷却する事が可能な撮像装置の冷却構造を提供すること。【解決手段】撮像装置の熱源となる撮像部または画像処理部の上部に位置し、被写体像を観察するファインダユニットを構成している撮像装置に固定の第１の接眼レンズ部材１８ａと、撮像装置から着脱可能な第２の接眼レンズ部材と、ファインダユニットと熱源の間には、防塵の為の閉位置と冷却装置からの空気を流入させる為の開位置に駆動可能な蓋部材１７０があり、冷却装置（ファン１６２）を第２の接眼レンズ部材の代わりに撮像装置に取り付け可能であり、冷却装置を検知した際には、蓋部材を閉位置から開位置に駆動し、吸気排気口を冷却装置の装着と連動して開閉して、ゴミの侵入も防止できる。【選択図】図９
2019191433.tif 000002
【特許請求の範囲】
【請求項１】
撮像装置（１）の熱源となる撮像部（３７）または画像処理部（１１６）の上部に位置し
被写体像を観察するファインダユニットを構成している
撮像装置（１）に固定の第１の接眼レンズ部材（１８ａ）と
撮像装置（１）から着脱可能な第２の接眼レンズ部材（１８ｂ）と
ファインダユニットと熱源の間には、防塵の為の閉位置と冷却装置からの空気を流入させる為の開位置に駆動可能な蓋部材（１７０）があり、
撮像装置の冷却を目的とした冷却装置（１６０）を前記第２の接眼レンズ部材（１５０）の代わりに撮像装置（１）に取り付け可能であり、
前記冷却装置（１６０）を検知した際には
前記蓋部材（１７０）を閉位置から開位置に駆動する事を特徴とする撮像装置。
【請求項２】
蓋部材（１７０）は閉位置方向に付勢（１７２）されていている事を特徴とする請求項１に記載の撮像装置。
【請求項３】
撮像装置（１）の熱源となる撮像部（３７）または画像処理部（１１６）の上部に位置し
被写体像を観察するファインダユニットを構成している
撮像装置（１）に固定の第１の接眼レンズ部材（１８ａ）と
撮像装置（１）から着脱可能な第２の接眼レンズ部材（１８ｂ）と
ファインダユニットと熱源の間には、防塵の為の閉位置と冷却装置からの空気を流入させる為の開位置に駆動可能な第１蓋部材（１７０）と、
撮像装置下面に、防塵の為の閉位置と撮像装置からの空気を排気する為の開位置に駆動可能な第２蓋部材（１８６）があり、
撮像装置の冷却を目的とした冷却装置（１６０）を前記第２の接眼レンズ部材（１５０）の代わりに撮像装置（１）に取り付け可能であり、
冷却装置（１６０）を検知した際には
前記第１蓋部材（１７０）と第２蓋部材（１８６）を閉位置から開位置に駆動する事を特徴とする撮像装置。
【請求項４】
冷却装置には、装着動作に伴って前記第１蓋部材（１７０）を回動させる凸部（１６０ｂ）を有する請求項１乃至３のいずれか１項に記載の撮像装置。
【請求項５】
第１蓋部材（１７０）と第２蓋部材（１８６）は、閉位置方向に付勢（１７２、１８８）されている事を特徴とする請求項３に記載の撮像装置。
【請求項６】
閉位置では防塵部材と当接して塵埃の流入を防止し、開位置では第１蓋部材（１７０）の上面の延長した面が熱源の基板端より開き方向となる角度まで回動する事を特徴とする請求項１乃至３のいずれか１項に記載の撮像装置。
【請求項７】
撮像装置（１）に固定の第１の接眼レンズ部材（１８ａ）と
撮像装置（１）から着脱可能な第２の接眼レンズ部材（１８ｂ）があり、
第１の接眼レンズ部材（１８ａ）より、第２の接眼レンズ部材（１８ｂ）の方が光学敏感度が低い事を特徴とする請求項１乃至３のいずれか１項に記載の撮像装置。
【請求項８】
撮像装置（１）には、の第２の接眼レンズ部材（１８ｂ）と冷却装置（１６０）とを交換可能とする着脱保持部（１ｇ）があり、冷却装置への給電は着脱保持部（１ｇ）の着脱方向と直交する面に設けられた接点より行われる特徴とする請求項１乃至３のいずれか１項に記載の撮像装置。
【請求項９】
冷却装置（１６０）には遠心ファン（１６２）を備えている事を特徴とする請求項１乃至３のいずれか１項に記載の撮像装置。
【請求項１０】
第１蓋部材（１７０）と第２蓋部材（１８６）を閉位置から開位置に駆動するアクチュエーターはスッテッピングモータである事を特徴とする請求項１乃至３のいずれか１項に記載の撮像装置。
【発明の詳細な説明】
【技術分野】
【０００１】
本発明は、撮像装置の冷却構造に関し、特に撮像装置の大きさを変える事無く、交換アクセサリーを装着する事で効果的に撮像装置を冷却する構造に関するものである。
【背景技術】
【０００２】
従来、デジタルカメラにおいても、撮像素子の高画素化及び動画像の高フレームレート化等によって撮像素子や画像処理回路での発熱が問題となっている。また、カメラ自体も小型化が求められ熱を逃がす部分も少なくなっている。そのため、従来から行っている伝熱部材を用いて熱を各部材に拡散させて均一化による熱対策では限界がある。
【０００３】
そこで、ファンなどを用いた強制空冷なども提案されているが、内蔵すると撮像装置そのものが大きくなってしまうことがある。また、特許文献１では、撮像装置に装着した場合に撮像装置の放熱を効果的に行う外部装置が開示されている。
【先行技術文献】
【特許文献】
【０００４】
【特許文献１】特開２０１２−１６８４４６号公報
【発明の概要】
【発明が解決しようとする課題】
【０００５】
しかしながら、上述の特許文献に開示された従来技術では、冷却ファンを内蔵した外部装置（照明装置）を装着するだけなので、撮像装置としては大きくなってしまう。
【０００６】
そこで、本発明の目的は、撮像装置自体を大型化する事なく、またアクセサリーとしての外部装置を装着した時も撮像装置自体を大型化することなく、撮像装置の発熱源を冷却する事が可能な撮像装置の冷却構造を提供することである。
【課題を解決するための手段】
【０００７】
上記目的を達成するために、本発明は、撮像装置の熱源となる撮像部または画像処理部の上部に位置し、被写体像を観察するファインダユニットを構成している撮像装置に固定の第１の接眼レンズ部材と、撮像装置から着脱可能な第２の接眼レンズ部材と、ファインダユニットと熱源の間には、防塵の為の閉位置と冷却装置からの空気を流入させる為の開位置に駆動可能な蓋部材があり、
撮像装置の冷却を目的とした冷却装置を前記第２の接眼レンズ部材の代わりに撮像装置に取り付け可能であり、前記冷却装置を検知した際には前記蓋部材を閉位置から開位置に駆動する事を特徴とする。
更には、撮像装置下面に、防塵の為の閉位置と撮像装置からの空気を排気する為の開位置に駆動可能な第２蓋部材があり、
撮像装置の冷却を目的とした冷却装置を前記第２の接眼レンズ部材の代わりに撮像装置に取り付け可能であり、冷却装置を検知した際には、前記第１蓋部材と第２蓋部材を閉位置から開位置に駆動する事を特徴とする。
【発明の効果】
【０００８】
本発明によれば、ファンなどを内蔵して撮像装置自体を大型化する事なく、またアクセサリーとしての外部装置を装着した時も撮像装置自体を大型化することなく、撮像装置の発熱源を冷却する事が可能な撮像装置の冷却構造を提供することが出来る。
【図面の簡単な説明】
【０００９】
【図１】カメラ正面斜視図
【図２】第１実施例の接眼レンズユニット装着時のカメラ背面斜視図
【図３】第１実施例の冷却装置装着時のカメラ背面斜視図
【図４】第１実施例の接眼レンズユニット取り外し時のカメラ上方斜視図
【図５】第１実施例の接眼レンズユニットの斜視図
【図６】第１実施例の冷却装置の斜視図
【図７】第１実施例のカメラのブロック図
【図８】第１実施例の接眼レンズユニット装着時のカメラ中央断面図
【図９】第１実施例の冷却装置装着時のカメラ中央断面図
【図１０】第１実施例の部分分解斜視図
【図１１】第１実施例の接眼レンズユニット装着時の構造図
【図１２】第１実施例の冷却装置装着時の構造図
【図１３】第２実施例の冷却装置装着時のカメラ背面斜視図
【図１４】第２実施例の部分分解斜視図
【図１５】第２実施例の接眼レンズユニット装着時の構造図
【図１６】第２実施例の冷却装置装着時の構造図
【図１７】第３実施例の部分分解斜視図
【図１８】第３実施例の接眼レンズユニット装着時の構造図
【図１９】第３実施例の冷却装置装着時の構造図
【発明を実施するための形態】
【００１０】
以下に、本発明の好ましい実施の形態を、添付の図面に基づいて詳細に説明する。
【００１１】
［実施例１］
図１、図２、図３は本実施の形態に係る撮像装置（以降、カメラと称す）としての一眼レフカメラの外観を示す図である。具体的には、図１はカメラ前面側より見た斜視図であって、撮影レンズユニットを外した状態を示している。図２はカメラ背面側より見た斜視図であり、通常の接眼レンズユニットが取り付けられた状態の斜視図である。図３は、カメラ背面側より見た斜視図であり、図２と異なり、接眼レンズユニットの代わりに冷却ファンを搭載した冷却装置を取り付けた状態の斜視図である。
【００１２】
図１において、カメラ本体１は、マグネシウム合金などの金属材料でその外装を構成しており動画記録などの消費電力が多い撮影モードでも出来るだけ放熱を行えるように構成している。カメラ本体１には横位置撮影時に使用者がカメラを安定して握り易いように前方に突出した横位置用グリップ部１ａが設けられている。また、縦位置撮影時に使用者がカメラを安定して握り易いように前方に突出した縦位置用グリップ部１ｂが設けられている。
【００１３】
マウント２は、着脱可能な撮影レンズユニット（不図示）をカメラ本体に固定させる。マウント接点２１は、カメラ本体１と撮影レンズユニットとの間で制御信号、状態信号、データ信号などを介在すると共に、撮影レンズユニット側に電力を供給する機能を有する。また、マウント接点２１は電気通信のみならず、光通信、音声通信などを受け渡す様に構成してもよい。
【００１４】
レンズロック解除釦４は、不図示の撮影レンズユニットを取り外す際に押し込みロックを解除する釦である。ミラーボックス５はカメラ筐体内に配置され、撮影レンズを通過した撮影光束はここへ導かれる。ミラーボックス５の内部には、クイックリターンミラー６が配設されている。クイックリターンミラー６は、撮影光束をペンタプリズム２３（図７を参照）の方向へ導くために撮影光軸に対して４５°の角度に保持される状態（６ａ）と、撮像素子３３（図７を参照）の方向へ導くために撮影光束から退避した位置に保持される状態（６ｂ）とを取り得る。
【００１５】
カメラ上部のグリップ側には、撮影開始の起動スイッチとしての横位置用のシャッタボタン７が配置されており、シャッタボタン７は、第１ストロークでＳＷ１（後述の７ａ）がＯＮし、第２ストロークにてＳＷ２（後述の７ｂ）がＯＮする構成となっている。
【００１６】
カメラのグリップ部の下部には、撮影開始の起動スイッチとしての縦位置用のシャッタボタン１６が配置されており、シャッタボタン１６は、第１ストロークでＳＷ１（後述の１６ａ）がＯＮし、第２ストロークにてＳＷ２（後述の１６ｂ）がＯＮする構成となっている。
【００１７】
シャッタボタン７の後方には、各種モードに応じてシャッタスピードなどの設定を行うめのメイン操作ダイヤル８があり各種設定された機能やシャッタスピードを変更する事が出来る。１６は録画ボタン６１は、カメラが録画待機状態（クイックリターンミラー６が撮影光束から退避した位置に保持され撮像素子からの撮像画像を逐次読みだしているライブビュー状態）の際に、押す事で動画としての録画を開始し、録画中に押す事で録画を停止する。動画スタートストップ釦である。
【００１８】
カメラ上部のトップカバー１ｃの中央には、カメラ本体に対してフラッシュなどのアクセサリーを着脱可能とし、外部フラッシュIF装置１１５（図７を参照）としてのアクセサリーシュー１２が配置されている。グリップに対して反対側の側面には、開閉可能な外部端子蓋１ｄがあり、外部端子蓋１ｄを開けた内部には、外部インタフェース４０（図７を参照）としてＨＤＭＩ（登録商標）出力用端子やＵＳＢ出力用コネクタなどが納められている。外部インタフェースの下部には電源となる電池４２が配置されている。４２ａは電池を取り出すためのつまみである。
【００１９】
図２において、カメラ背面の上方には着脱可能な接眼レンズユニット１５０があり、被写体像を観察するための開口１５０ａが設けられている。接眼レンズユニット１５０の開口１５０ａの部分には、ファインダの接眼レンズ１８ｂが設けられている。接眼レンズユニット１５０の下には、画像表示可能なカラー液晶モニタ１９が設けられている。カラー液晶モニタ１９の横に配置されたサブ操作ダイヤル２０は、メイン操作ダイヤル８の機能の補助的役割を担う。
【００２０】
また、このサブ操作ダイヤル２０は、カラー液晶モニタ１９に表示される撮影済み画像の表示選択にも用いられる。メインスイッチ４３はカメラの電源を入れたり切ったりするためのスイッチである。再生釦５０は画像された画像を再生させる釦。消去釦１５は、カラー液晶モニタ１９に表示させた画像を消去する釦。ＡＦ−ＯＮ釦５１は、オートフォーカスを開始させるための釦であり、横位置用ＡＦ−ＯＮ釦５１ａと縦位置用ＡＦ−ＯＮ釦５１ｂがそれぞれ配置されている。ＡＥロック釦５２は、測光した測光値を一時的保持するための釦であり、横位置用ＡＥロック釦５２ａと縦位置用ＡＥロック釦５２ｂがそれぞれ配置している。
【００２１】
ＬＶ釦６０は、クイックリターンミラー６を撮影光束から待避する位置（後述の６ｂ）へ駆動させ、さらに後述するシャッタの先羽根群を走行させ、撮像した画像を逐次カラー液晶モニタ１９に表示するライブビュー表示を行う釦である。これは、動画記録の為の準備にも使用される。
【００２２】
ＭＥＮＵ釦１０は、各種設定を行うためのMENUモードを呼び出すための釦である。ＳＥＴ釦５３はMENU釦１０とメイン操作ダイヤル８、サブ操作ダイヤル２０で選択される設定を確定させたり、カラー液晶モニタ１９に表示させた画像を消去釦で選択後に消去を確定させるための釦である。メディアカバー１ｅは、バックカバー１ｆの一部を構成していて、後述する着脱可能なメモリ３９を収納する収納部の蓋である。メディアカバー開摘み２２は、メディアカバー１ｅを開けるための操作つまみである。
【００２３】
図３において、図２との違いを説明する。カメラ背面の情報には、冷却装置１６０が、接眼レンズユニット１５０の代わりに取り付けられている。冷却装置１６０には、背面に吸気を行う開口１６０ａがあり、外気をカメラ内に取り込む事が可能となっている。ファンＯＮ−ＯＦＦＳＷ１６５は、冷却装置１６０に内蔵されたファンを駆動、停止させるためのスイッチである。防塵部材１６６は、冷却装置１６０の開口１６０ａ部にあって、外気を吸気する際に余計なゴミや埃がカメラ内部に入らない様にしている。図は分かりやすくするために、網目を大きくデフォルメして記載している。
【００２４】
図４は、接眼レンズユニット１５０をカメラ本体１から取り外した状態を説明した図である。カメラ本体１のトップカバー１ｃには接眼レンズユニット１５０、冷却装置１６０を着脱可能に保持する為の保持枠１ｇがあり、上面には通信や電源供給を司る接点部１ｈがあり、左右側面には、接眼レンズユニット１５０と冷却装置１６０をガイドするガイド溝１ｉが設けられている。ガイド溝１ｉの下端部分には、後述する爪（図５を参照）が入り込んで、容易に脱落しない様にする為の不図示の凹部が設けられている。
【００２５】
接眼ベースユニット１７０は、後述する固定接眼レンズ群１８ａ（図７を参照）を保持すると共に、接眼レンズユニット１５０が装着時は閉口し、冷却装置１６０が装着時は、開口する様に駆動する上部開閉蓋１７１を回動可能に保持している。接眼ベースユニット１７０には、冷却装置１６０が取り付けられた際に前記上部開閉蓋１７１を回動させ、閉位置から開位置に回動させる後述するピン１６０ｂ（図６を参照）が挿入される孔１７０ａが設けられている。
【００２６】
図５は、接眼レンズユニット１５０を説明した図である。ガイドリブ１５１は、カメラ本体１のトップカバー１ｃの保持枠１ｇの左右側面にあるガイド溝１ｉに嵌って、着脱のガイドを行うリブである。ガイドリブ１５１の下端部分には弾性を有する爪部１５１ａが設けられており、カメラ本体１のトップカバー１ｃの保持枠１ｇの左右側面にあるガイド溝１ｉの下端部分にある不図示の凹部に入り込み脱落防止を行う。
【００２７】
図６は、冷却装置１６０を説明した図である。図５と同じ物は同じ記号を付している。ピン１６０ｂは、冷却装置１６０がカメラ本体１に取り付けられた時に、接眼ベースユニット１７０の孔１７０ａを貫通して上部開閉蓋１７１と当接する事で回動させ、閉位置から開位置に駆動するピン。ファン１６２は、シロッコ形の遠心ファンであり、冷却装置１６０の開口１６０ａから吸気を行い、下面のファン開口１６２ａから空気を排気することで、カメラ内部の冷却を行う。冷却装置１６０内にシロッコ形の遠心ファンを配置する事で、カメラ背面から吸気してファインダの下方に位置している熱源を効果的に冷却しつつカメラの小型を実現する事が出来る。
【００２８】
接点部１６３は、カメラ本体１側の接点部１ｈと接触する接点であり、カメラ本体１と冷却装置１６０との間で制御信号の通信を行うと共に、冷却装置１６０側に電力を供給することでファン１６２を駆動する。
【００２９】
図７は、第１の実施の形態に係る一眼レフカメラの主要な電気的構成を示すブロック図である。なお、前述の図面と共通する部分は同じ記号で示している。
【００３０】
マイクロコンピュータ１００は、カメラ本体に内蔵されたマイクロコンピュータの中央処理装置（以下、ＭＰＵという）である。カメラの動作制御を司るものであり、各要素に対して様々な処理や指示を実行する。
【００３１】
ＥＥＰＲＯＭ１００ａはＭＰＵ１００に内蔵されており、各種情報を記憶可能である。ＭＰＵ１００には、ミラー駆動回路１０１、焦点検出回路１０２、シャッタ駆動回路１０３、映像信号処理回路１０４、スイッチセンス回路１０５、測光回路１０６、が接続されている。また、ＬＣＤ駆動回路１０７、バッテリチェック回路１０８、電源供給回路１１０、冷却制御回路１２０についても接続されている。これらの回路はＭＰＵの制御により動作するものである。
【００３２】
また、ＭＰＵ１００は、撮影レンズユニット内に配置されたレンズ制御回路８１と、マウント接点２１を介して通信を行う。マウント接点２１は撮影レンズユニットが接続されるとＭＰＵ１００へ信号を送信する機能も備えている。これにより、レンズ制御回路８１は、ＭＰＵ１００との間で通信を行い、撮影レンズユニット内の撮影レンズ８０および絞り８４の駆動を、ＡＦ駆動回路８２および絞り駆動回路８３を介して行うことが可能となる。
【００３３】
なお、本実施の形態では便宜上１枚の撮影レンズで示しているが、実際は多数のレンズ群により構成されている。
【００３４】
ＡＦ駆動回路８２は、たとえばステッピングモータによって構成され、レンズ制御回路８１の制御によって撮影レンズ８０内のフォーカスレンズ位置を変化させることにより、撮像素子３３に撮影光束の焦点を合わせるように調整する。８３は絞り駆動回路であり、たとえばオートアイリスなどによって構成され、レンズ制御回路８１によって絞り８４を変化させ、光学的な絞り値を得るように構成されている。
【００３５】
クイックリターンミラー６は、撮影レンズ８０を通過する撮影光束をペンタプリズム２３へ導くとともに、その一部を透過させてサブミラー３０に導く。サブミラー３０は、透過された撮影光束を焦点検出用センサユニット３１へ導く。
【００３６】
ミラー駆動回路１０１は、クイックリターンミラー６を、ファインダにより被写体像を観察可能とする位置（６ａ）と、撮影光束から待避する位置（６ｂ）とへ駆動するためのものである。同時に、サブミラー３０を、焦点検出用センサユニット３１へ撮影光束を導く位置と、撮影光束から待避する位置とへ駆動する。具体的には、たとえばＤＣモータとギヤトレインなどから構成される。
【００３７】
焦点検出センサユニット３１は不図示である結像面近傍に配置されたフィールドレンズ、反射ミラー及び、２次結像レンズ、絞り、複数のラインセンサを有するＣＣＤモジュール等から構成されている周知の位相差方式の焦点検出センサユニットである。焦点検出センサユニット３１から出力された信号は、焦点検出回路１０２へ供給され、被写体像信号に換算された後ＭＰＵ１００へ送信される。ＭＰＵ１００は被写体像信号に基づいて、位相差検出法による焦点検出演算を行う。そして、デフォーカス量およびデフォーカス方向を求め、これに基づき、レンズ制御回路８１およびＡＦ駆動回路８２を介して、撮影レンズ８０内のフォーカスレンズを合焦位置まで駆動する。
【００３８】
フォーカシングスクリーン２４は、クイックリターンミラー６によって反射された被写体光を投影して被写体像を表示するスクリーンである。この時には、左右逆像で表示されている。コンデンサーレンズ２５は、フォーカシングスクリーン２４に投影された被写体光が拡散されて観察者に届く光が少なくなるのを防ぐ様に集光するレンズである。ペンタプリズム２３は、被写体光を正立正像に変換反射する光学部材である。
【００３９】
観察者は、接眼レンズ群１８を介して、ペンタプリズム２３で正立正像に変換された被写体像を観察することができる。接眼レンズ群１８は、筐体に固定された固定接眼レンズ群１８ａと着脱可能な接眼レンズユニット１５０と共に着脱される着脱接眼レンズ群１８ｂとに分割される。固定接眼レンズ群１８ａは、筐体に固定さても良いし、ペンタプリズム２３に固定されても良い事は言うまでもない。接眼レンズを構成する固定接眼レンズ群１８ａと着脱接眼レンズ群１８ｂにおいては、光学敏感度が着脱接眼レンズ群１８ｂ方が低く設定されているので、着脱による光学的な影響度を最小限に抑える事が出来る。
【００４０】
ペンタプリズム２３は、撮影光束の一部を測光センサ４４にも導く。測光回路１０６は、測光センサ４４の出力を得て、観察面上の各エリアの輝度信号に変換し、ＭＰＵ１００に出力する。ＭＰＵ１００は、得られる輝度信号から露出値を算出する。フォーカルプレーンシャッタ３２であり、観察者がファインダにより被写体像を観察している時には撮影光束を遮る。また撮像時にはレリーズ信号に応じて、不図示の先羽根群と後羽根群の走行する時間差により所望の露光時間を得るように構成されている。
【００４１】
ライブビュー表示や動画記録の為にＬＶ釦６０が操作された時には、先羽根群を走行させて撮像可能な状態に遷移する。フォーカルプレーンシャッタ３２は、ＭＰＵ１００の指令を受けたシャッタ駆動回路１０３によって制御される。撮像素子３３は、撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
【００４２】
クランプ／ＣＤＳ（相関二重サンプリング）回路３４は、Ａ／Ｄ変換する前の基本的なアナログ処理を行うとともに、クランプレベルの変更も可能である。ＡＧＣ（自動利得調整装置）３５は、Ａ／Ｄ変換する前の基本的なアナログ処理を行うとともに、ＡＧＣ基本レベルの変更も可能である。Ａ／Ｄ変換器３６は、撮像素子３３のアナログ出力信号をデジタル信号に変換する。これら、撮像素子３３、クランプ／ＣＤＳ（相関二重サンプリング）回路３４、ＡＧＣ３５、Ａ／Ｄ変換器３６は後述するＡ基板３７（図８参照）に実装構成されている。
【００４３】
映像信号処理回路１０４は、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１０９を介してカラー液晶モニタ１９に表示される。
【００４４】
また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像デーを順次読み出すことも可能である。これにより映像信号処理回路１０４は、Ａ／Ｄ変換器３６から入力されてくる画像データの速度に関わらず、画像処理や圧縮処理を順次行うことが可能となる。
【００４５】
映像信号処理回路１０４や前述したＭＰＵ１００は、後述するＭＡＩＮ基板１１６（図８参照）に実装構成されている。メモリコントローラ３８は、外部インタフェース４０（不図示で公知のＨＤＭＩ出力用端子やＵＳＢコネクタなど）から入力される画像データをメモリ３９に記憶することや、メモリ３９に記憶されている画像データを外部インタフェース４０から出力する機能についても有する。なお、メモリ３９は、カメラ本体に対して着脱可能なフラッシュメモリなどである。
【００４６】
スイッチセンス回路１０５は、各スイッチの操作状態に応じて入力信号をＭＰＵ１００に送信する。スイッチＳＷ１：７ａは、横位置用のレリーズボタン７の第１ストロークによりオンするスイッチである。スイッチＳＷ２：７ｂは、横位置用のレリーズボタン７の第２ストロークによりオンするスイッチである。スイッチＳＷ２がオンされると、撮影開始の指示がＭＰＵ１００に送信される。スイッチＳＷ１：１６ａは、縦位置用のレリーズボタン１６の第１ストロークによりオンするスイッチである。スイッチＳＷ２：１６ｂは、縦位置用レリーズボタン１６の第２ストロークによりオンするスイッチである。スイッチＳＷ２がオンされると、撮影開始の指示がＭＰＵ１００に送信される。
【００４７】
さらには、メイン操作ダイヤル８、サブ操作ダイヤル２０、ＭＥＮＵ釦１０、再生釦５０、消去釦５１、横位置用ＡＦスタート釦５２ａ、縦位置用ＡＦスタート釦５１ｂ、横位置用ＡＥロック釦５２ａ、縦位置用ＡＥロック釦５２ｂ、メインスイッチ４３、ＬＶ釦６０、録画釦６１、冷却装置検知ＳＷ１７９なども接続されている。
【００４８】
冷却装置検知ＳＷ１７９は、接眼レンズユニット１５０の代わりに、ファン１６２を内蔵している冷却装置１６０が装着された事を検知するスイッチである。ＬＣＤ駆動回路１０７は、ＭＰＵ１００の指示に従って、外部液晶表示装置９やファインダ内液晶表示装置４１を駆動する。
【００４９】
バッテリチェック回路１０８は、ＭＰＵ１００からの信号に従って、所定時間バッテリチェックを行い、その検出出力をＭＰＵ１００へ送る。電源部４２は、カメラの各要素に対して、必要な電源を供給する。外部ストロボＩＦ装置１１５は、アクセサリーシュー１２などで構成されている外部ストロボＩＦ装置。ここには、外部フラッシュなどのアクセサリーを装着可能である。
【００５０】
冷却制御回路１２０はＭＰＵ１００の指示に従って、冷却装置１６０に内蔵されたファン１６２を制御する。接点部１ｈは、カメラ本体１と冷却装置１６０との間で制御信号の通信を行うと共に、冷却装置１６０側に電力を供給する機能を有する。ファンＯＮ−ＯＦＦＳＷ１６５は、冷却装置１６０に内蔵されたファンを駆動、停止させるためのスイッチである。
【００５１】
図８、図９は本発明を実施したカメラの中央断面図である。図８は、接眼レンズユニット１５０が装着されており、上部開閉蓋１７１が閉位置にあり、クイックリターンミラー６がファインダにより被写体像を観察可能とする位置（６ａ）にある状態の中央断面図である。
【００５２】
図９、は冷却装置１６０が装着されており、上部開閉蓋１７１が開位置にあり、クイックリターンミラー６が撮影光束から待避する位置（６ｂ）にある状態の中央断面図である。
【００５３】
図８において、カメラは接眼レンズユニット１５０が取り付けられており、ファインダを用いた静止画撮影など発熱量の低い撮影モードで撮影を行える。カメラ本体内のレイアウトとして撮影光軸１１７に沿って以下の順番に配置されている。フォーカルプレーンシャッタ３２、撮像素子３３やクランプ／ＣＤＳ（相関二重サンプリング）回路３４やＡＧＣ３５やＡ／Ｄ変換器３６を有するＡ基板３７、映像信号処理回路１０４やＭＰＵ１００を有するＭＡＩＮ基板１１６、カラー液晶モニタ１９となっている。
【００５４】
接眼ベースユニット１７０は、前面マスク１６８を持ち、固定接眼レンズ群１８ａを保持すると共に、接眼レンズユニット１５０が装着時は閉口し、冷却装置１６０が装着時は、開口する様に駆動する上部開閉蓋１７１を回動可能に保持している。上部開閉蓋１７１は後述する上部トーションバネ１７２（図１０参照）によって閉方向に付勢されている。防塵部材１６９は、接眼ベースユニット１７０と上部開閉蓋１７１とで挟持される事で防塵として機能する。
【００５５】
図９において、カメラは冷却装置１６０が取り付けられており、通常のファインダを用いた撮影は出来ないが、ライブビュー撮影や動画記録など発熱量の多い撮影モードでの撮影を前提としている。
【００５６】
上部開閉蓋１７１が開位置にあるので、冷却装置１６０の開口１６０ａから吸気された空気は、防塵部材１６６を通過後、ファン１６２によりカメラ下方向に排出される。排出された空気は図中矢印の様に、Ａ基板３７、ＭＡＩＮ基板１１６など発熱源となる部材を冷却する。上部開閉蓋１７１の開位置は、その上面の延長線Ａが冷却したい発熱源の一つであるＭＡＩＮ基板１１６の基板の上端より下にくる角度まで回動する様に設定している。これによって、Ａ基板３７、Ａ基板３７とＭＩＡＮ基板１１６の間、ＭＡＩＮ基板の背面側まで冷却する為の空気が行き届く様に出来る。
【００５７】
図１０は、本発明を実施した接眼ベースユニット１７０とバックカバー１ｆの裏面の構成部品の分解斜視図である。接眼ベースユニット１７０の孔１７０ａは、冷却装置１６０が取り付けられた際に上部開閉蓋１７１を回動させ、閉位置から開位置に回動させるピン１６０ｂが挿入される。前面マスク１６８は、光学的なマスクであると共に固定接眼レンズ群１８ａの少なくとも一つのレンズの保持機能を有している。凹部１７０ｃは保持板１７３、１７４とで嵌合穴を形成する。接眼ベースユニット下面開口部１７０ｄは上部開閉蓋１７１で開閉される開口。
【００５８】
上部開閉蓋１７１の回転嵌合軸１７１ａは、接眼ベースユニット１７０の凹部１７０ｃと保持板１７３、１７４とで形成された嵌合穴に嵌合する軸で上部開閉蓋１７１の回転軸となる。凸部１７１ｂは、冷却装置１６０が取り付けられた時に、接眼ベースユニット１７０の孔１７０ａを貫通してきたピン１６０ｂと当接して上部開閉蓋１７１を開位置まで回動させる。
【００５９】
上部トーションバネ１７２は、上部開閉蓋１７１の回転軸に組み込まれて、一端を保持板１７４に、もう一端を上部開閉蓋１７１に掛ける事で上部開閉蓋１７１を閉方向に付勢している。保持板１７３、１７４はビス１７５で接眼ベースユニット１７０に固定され、接眼ベースユニット１７０の凹部１７０ｃとで嵌合穴を形成する。防塵部材１６９は接眼ベースユニット下面開口部１７０ｄを矩形（ロの字）で貼りつけられている。
【００６０】
第１スライダー１７６は上部開閉蓋１７１の回動と連動して上下にスライドするレバーで不図示のバネによって上方に付勢されている。第１スライダー長穴１７６ａは、第１スライダー１７６を固定する軸１７７と摺動嵌合する長穴。第１スライダーＵ字部１７６ｂは、凸部１７１ｂと当接しているので上部開閉蓋１７１の回動に伴って下方に押し下げられる。折り曲げ部１７６ｃは、冷却装置１６０が取り付けられたかどうかを検知する冷却装置検知ＳＷ１７９に対して第１スライダー１７６の上下動によってスイッチの切り替えを行う。
【００６１】
冷却装置１６０が取り付けられ、上部開閉蓋１７１が回動して、第１スライダー１７６が下方向に移動した際に冷却装置検知ＳＷ１７９がＯＮされる。軸１７７は、第１スライダー長穴１７６ａと摺動嵌合すると共に落下しない様に固定する。バックカバーフレキ１７８は折り曲げ部１７６ｃと当接して第１スライダーの上下動に応じて冷却装置の着脱を検知する冷却装置検知ＳＷ１７９を有している。
【００６２】
図１１、図１２で実際の動作を説明する。図１１は、図１０の構成部品を展開せずに、実際に構成した状態で示したカメラ正面方向から見た斜視図であり、図１０の冷却装置１６０の代わりに、接眼レンズユニット１５０を装着時の図である。
【００６３】
接眼レンズユニット１５０が装着されており、上部開閉蓋１７１は図中では見えないが上部トーションバネ１７２により閉方向に付勢されている。第１スライダー１７６は不図示のバネによって上方に付勢されているので、第１スライダーＵ字部１７６ｂと上部開閉蓋１７１の凸部１７１ｂが当接して留まっている状態である。この時、折り曲げ部１７６ｃは、冷却装置検知ＳＷ１７９に対して離れているのでＯＮする事はない。
【００６４】
図１２は、図１０の構成部品を展開せずに、実際に構成した状態で示したカメラ正面方向から見た斜視図であり、冷却装置１６０装着時の時の図である。
【００６５】
冷却装置１６０が装着されており、上部開閉蓋１７１は、冷却装置１６０のピン１６０ｂにより凸部１７１ｂが押され、開方向に回動する。第１スライダー１７６は上部開閉蓋１７１が回動した事によって、凸部１７１ｂと当接している第１スライダーＵ字部１７６ｂが押し下げられ第１スライダー１７６自体が下方向に移動する。第１スライダー１７６が下方向に移動した事で、折り曲げ部１７６ｃが、冷却装置検知ＳＷ１７９と当接してレバーを駆動しスイッチをＯＮへ切り替える。これによって、冷却装置１６０が装着されたことを検知する事が出来る。
【００６６】
［実施例２］
図１３〜図１７を参照して、本発明の第２の実施例について説明する。図１３において、第１の実施例の図３との違いを説明する。不図示のカメラ本体２００のバックカバー２００ｆの下部には、カメラの中の空気を排気するための下面開口２００ｋが設けられており、冷却装置１６０によって、外気を吸気してカメラ内を冷却した後の空気を下面開口２００ｋから排気する。これによって、カメラ背面から吸気した後、遠心ファンにてカメラ上方から下方に向かって空気を送風して、カメラ下面から排気を行う事で、内部循環に加えて強制排気を行える様な冷却構造を構成する事が出来る。
【００６７】
図１４は、第２の実施例を実施した接眼ベースユニット１７０とバックカバー２００ｆの裏面の構成部品の分解斜視図である。図１０をはじめ、第１の実施例と同じ構成部品は同じ番号を付している。
【００６８】
第２スライダー１８０は上部開閉蓋１７１の回動と連動して上下にスライドするレバーである。第２スライダー長穴１８０ａは、第２スライダー１８０を固定する軸１８１と摺動嵌合する長穴。第２スライダーＵ字部１８０ｂは、凸部１７１ｂと当接しているので上部開閉蓋１７１の回動に伴って下方に押し下げられる。折り曲げ部１８０ｃは、冷却装置１６０が取り付けられたかどうかを検知する冷却装置検知ＳＷ１７９に対して第２スライダー１８０の上下動によってスイッチの切り替えを行う。
【００６９】
連結ピン１８０ｄは連結アーム１８２の長穴１８２ｂと摺動嵌合しており、第２スライダー１８０の上下動に連動して連結アーム１８２を軸１８３を中心に回動させる。連結アーム１８２は一旦を連結ピン１８０ｄと摺動嵌合する長穴１８２ｂとし、他端を下部開閉蓋１８６を駆動する軸１８２ｃを有している。連結アーム１８２は、回転穴１８２ａに軸１８３が嵌る事で回動可能にバックカバー２００ｆに固定される。
【００７０】
下部開閉蓋１８６は回転軸１８６ａを中心に回動して、開口２００ｋを開閉可能に駆動される。突起部１８６ｂは連結アーム１８２の駆動ピン１８２ｃと当接して連結アームの回動に応じて上方に持ち上げられる。下部防塵部材１８７は、バックカバーの開口２００ｋの縁に設けられ、下部開閉蓋１８６と挟持される事で、防塵として機能する。
【００７１】
下部トーションバネ１８８は、一端をバックカバー２００ｆ、もう一端を下部開閉蓋１８６に掛ける事で下部開閉蓋１８６を閉じ方向に付勢しているトーションバネである。
バックカバー２００ｆには、下部開閉蓋１８６の回転軸１８６ａを嵌合保持する為の下部凹部２００ｍが設けられている。
【００７２】
下部保持板１８４は、固定ビス１８５によってバックカバー２００ｆに固定され、下部凹部２００ｍとの間で嵌合穴を形成する。嵌合穴には下部開閉蓋１８６の回転軸１８６ａが収められ、回動可能に固定する。バックカバーフレキ保持板１８９はバックカバーフレキ１７８を保持する板金である。
【００７３】
図１５、図１６で実際の動作を説明する。図１５は、図１４の構成部品を展開せずに、実際に構成した状態で示したカメラ正面方向から見た図であり、図１４の冷却装置１６０の代わりに、接眼レンズユニット１５０を装着時の図である。
【００７４】
接眼レンズユニット１５０が装着されており、上部開閉蓋１７１は図中では見えないが上部トーションバネ１７２により閉方向に付勢されている。第２スライダー１８０は、第２スライダーＵ字部１８０ｂと上部開閉蓋１７１の凸部１７１ｂが当接して留まっている状態である。この時、折り曲げ部１８０ｃは、冷却装置検知ＳＷ１７９に対して離れているのでＯＮする事はない。
【００７５】
下部開閉蓋１８６は下部トーションバネ１８８により閉方向に付勢されている。下部開閉蓋１８６の突起部１８６ｂは連結アーム１８２の駆動ピン１８２ｃと当接しており、下部開閉蓋１８６が下部トーションバネ１８８により閉方向に付勢されているので連結アーム１８２を軸１８３を中心に反時計方向に回動させる作用を有している。連結アーム１８２は反時計方向に力が作用しているので、長穴１８２ｂと摺動嵌合している第２スライダー１８０の連結ピン１８０ｄを上方に付勢している。
【００７６】
図１６は、図１４の構成部品を展開せずに、実際に構成した状態で示したカメラ正面方向から見た図であり、冷却装置１６０装着時の時の図である。
【００７７】
冷却装置１６０が装着されており、上部開閉蓋１７１は、冷却装置１６０のピン１６０ｂにより凸部１７１ｂが押され、開方向に回動する。第２スライダー１８０は上部開閉蓋１７１が回動した事によって、凸部１７１ｂと当接している第２スライダーＵ字部１８０ｂが押し下げられ第２スライダー１８０自体が下方向に移動する。第２スライダー１８０が下方向に移動した事で、折り曲げ部１８０ｃが、冷却装置検知ＳＷ１７９と当接してレバーを駆動しスイッチをＯＮへ切り替える。これによって、冷却装置１６０が装着されたことを検知する事が出来る。
【００７８】
第２スライダー１８０が下方向に移動する事で、連結アーム１８２の長穴１８２ｂに嵌っている連結ピン１８０ｄが連結アーム１８２を時計方向に駆動する。連結アーム１８２は軸１８３を中心に時計方向に回動し駆動ピン１８２ｃによって、下部開閉蓋１８６の突起部１８６ｂを上方に持ち上げる。それによって下部開閉蓋１８６が開位置に回転駆動される。
【００７９】
［実施例３］
図１７〜図１９を参照して、本発明の第３の実施例について説明する。図１７は第３の実施例を実施した接眼ベースユニット２１０とバックカバー３００ｆの裏面の構成部品の分解斜視図である。
【００８０】
図１０の第１の実施例、及び図１４の第２の実施例と同じ構成部品は同じ番号を付している。不図示のカメラ本体３００のバックカバー３００ｆには、第３スライダー２４０の長穴２４０と摺動嵌合して移動を上下動に規制する凸群３００ｎが設けられている。
【００８１】
冷却装置１９０には、冷却装置１９０の着脱を検知させるためのピン１９０ｂが設けられており、冷却装置１９０が装着された際には、検知レバー２４２の一端に設けられた平坦部２４２ｂと当接、更に下方向に押す事で検知レバー軸穴２４２ａを回転中心に時計方向に回転させる。
【００８２】
接眼ベースユニット２１０の孔２１０ａは、冷却装置１９０が取り付けられた際に検知レバー２４２を回動させ、更に下方向に押す事で検知レバー軸穴２４２ａを回転中心に時計方向に回転させるピン１９０ｂが挿入される。前面マスク１６８は、光学的なマスクであると共に固定接眼レンズ群１８ａの少なくとも一つのレンズの保持機能を有している。上部電動開閉蓋２２０は、回転嵌合軸２２０ａを中心に回動可能であり、第２スライダー１８０と当接している第１凸部２２０ｂと、カムギヤ２３２のカム面２３２ａと当接する第２凸部２２０ｃを有している。
【００８３】
上部トーションバネ１７２は、上部電動開閉蓋２２０の回転軸に組み込まれて、一端を保持板１７４に、もう一端を上部電動開閉蓋２２０に掛ける事で上部電動開閉蓋２２０を閉方向に付勢している。
【００８４】
アクチュエーター２３０、段ギヤ２３１、カムギヤ２３２は不図示の保持機構でカメラの筐体に取り付けられている。アクチュエーター２３０は、例えばパルス制御可能なステッピングモータなどを使用して上部電動開閉蓋２２０の開閉を行う事が出来る。実施例１、２のメカ機構での開閉蓋の開閉動作と異なり、アクチュエーターを使う事で上部電動開閉蓋２２０の開閉を好きなタイミングで行う事が出来る。カムギヤ２３２はカム面２３２ａを有しており、上部電動開閉蓋２２０の第２凸部２２０ｃと当接しており、カムギヤの回転に応じてカム面２３２ａが第２凸部２２０ｃを押圧することで上部トーションバネ１７２のバネ圧に反して開方向に上部電動開閉蓋２２０の回動を行う。
【００８５】
検知レバー２４２は、軸２４４によって検知レバー軸穴２４２ａを中心に回動可能であり、一端が平坦部２４２ｂであり、もう一端がバネ用凸部２４２ｃとなっている。平坦部２４２ｃは冷却装置１９０のピン１９０ｂによって押され検知レバー２４２を時計方向に回動させる。バネ用凸部２４２ｃは検知レバー２４２を反時計方向に付勢するバネを掛ける凸部である。検知レバー２４２の紙面の裏側には不図示の連結部があり、第３スライダーの長穴２４０ｂに嵌り検知レバー２４２の回動動作を第３スライダーの上下動に変換する。
第３スライダー２４０は、検知レバー２４２の回動動作と連動して上下にスライドするレバーである。第３スライダー２４０の第１長穴２４０ａは、第３スライダー２４０を固定する軸ビス２４１で脱落防止で固定されると共に、バックカバー３００ｆの凸群３００ｎと摺動嵌合する長穴である。
【００８６】
第３スライダー２４０の第２長穴２４０ｂは、検知レバー２４２の不図示の連結部と連結する長穴である。折り曲げ部２４０ｃは、冷却装置１６０が取り付けられたかどうかを検知する冷却装置検知ＳＷ１７９に対して第３スライダー２４０の上下動によってスイッチの切り替えを行う。引っぱりバネ２４４は一端を検知レバー２４３の２４２ｃに、もう一端を３００ｐに掛けられたバネであり、検知レバー２４３を反時計方向に付勢している。
【００８７】
第４スライダー２５０は、実施例２の第２スライダー１８０の折り曲げ部１８０ｃを廃したものであり、上部電動開閉蓋２２０の回動に伴って下方に押し下げられる。第２実施例で説明した連結アーム１８２以降の構成は同じである。
【００８８】
図１８、図１９で実際の動作を説明する。図１８は、図１７の構成部品を展開せずに、実際に構成した状態で示したカメラ正面方向から見た斜視図であり、図１７の冷却装置１９０の代わりに、接眼レンズユニット１５０を装着時の図である。
【００８９】
接眼レンズユニット１５０が装着されており、検知レバー２４２は引っ張りバネ２４４により反時計方向に付勢されているので接眼ベースユニット２１０と当接している状態である。検知レバー２４２と連動して上下動する第３スライダー２４０は上方に押し上げられているので、折り曲げ部２４０ｃは、冷却装置検知ＳＷ１７９に対して離れているのでＯＮする事はない。
【００９０】
冷却装置１９０の装着が検出されてないので、アクチュエーター２３０は、カムギヤ２３２のカム面２３２ａのカムボトム位置と上部電動開閉蓋２２０の凸部２２０ｃが向き合う状態に駆動制御される。これによって、上部電動開閉蓋２２０は図中では見えないが上部トーションバネ１７２により閉方向に付勢されている。
【００９１】
図１９は、図１７の構成部品を展開せずに、実際に構成した状態で示したカメラ正面方向から見た斜視図であり、冷却装置１９０装着時の時の図である。冷却装置１６０が装着されており、冷却装置１９０の着脱を検知させるためのピン１９０ｂは、検知レバー２４２の一端に設けられた平坦部２４２ｂと当接、更に下方向に押される事で検知レバー軸２４３を反時計方向に付勢している引っぱりバネ２４４のバネ力に反して時計方向に回転させる。
【００９２】
検知レバー軸２４３が時計方向に回動するのに連動して、第３スライダー２４０が下方向に移動され、図中見えないが折り曲げ部２４０ｃが、冷却装置検知ＳＷ１７９と当接してレバーを駆動しスイッチをＯＮへ切り替える。これによって、冷却装置１６０が装着されたことを検知する事が出来る。
【００９３】
冷却装置１９０の装着が検出されたので、アクチュエーター２３０は、カムギヤ２３２のカム面２３２ａのカムトップ位置が上部電動開閉蓋２２０の凸部２２０ｃを押し込む位置に駆動制御される。これによって、上部電動開閉蓋２２０は図中では見えないが上部トーションバネ１７２により閉方向に付勢されているバネ力に反して開方向に駆動される。
【００９４】
以上、本発明の好ましい実施形態について説明したが、本発明はこれらの実施形態に限定されず、その要旨の範囲内で種々の変形及び変更が可能である。
【符号の説明】
【００９５】
１：カメラ本体、１ｆ：バックカバー、１８ａ：固定接眼レンズ群、１８ｂ：着脱接眼レンズ、３２：撮像素子、３７：Ａ基板、１１６：ＭＡＩＮ基板、１５０：接眼レンズユニット、１６０：冷却装置、１６２：ファン、１６９：防塵部材、１７０：接眼ベースユニット、上部開閉蓋１７０、第１スライダー、１７９：冷却装置検知ＳＷ
【図１】
2019191433.tif 000003
【図２】
2019191433.tif 000004
【図３】
2019191433.tif 000005
【図４】
2019191433.tif 000006
【図５】
2019191433.tif 000007
【図６】
2019191433.tif 000008
【図７】
2019191433.tif 000009
【図８】
2019191433.tif 000010
【図９】
2019191433.tif 000011
【図１０】
2019191433.tif 000012
【図１１】
2019191433.tif 000013
【図１２】
2019191433.tif 000014
【図１３】
2019191433.tif 000015
【図１４】
2019191433.tif 000016
【図１５】
2019191433.tif 000017
【図１６】
2019191433.tif 000018
【図１７】
2019191433.tif 000019
【図１８】
2019191433.tif 000020
【図１９】
2019191433.tif 000021